(57)【要約】  【課題】  マイナスイオンを効率よく室内に供給することができて、且つマイナスイオンを放出するマイナスイオン発生端子を確実に簡単に支持することができる空気吹出し器具を提供する。  【解決手段】  室内の天井面または壁面に設けられて屋外からの空気または屋内の循環空気を室内へと吹出しさせる空気吹出し口に、隣接して配置されるものであって、空気吹出し口に連結される入口１４と、室内を臨む出口１６と、入口１４から出口１６に向かって空気吹出し口からの空気を通す空気流通路と、マイナスイオンを生成するマイナスイオン発生装置１７と、マイナスイオン発生装置１７とコード１８を介して接続されてマイナスイオンを放出するマイナスイオン発生端子２０と、マイナスイオン発生端子２０を支持する支持部２２と、を有する。支持部２２は、空気の流れ方向に沿って配置された非金属製の板材２４からなり、板材２４でコード１８を支持することにより、マイナスイオン発生端子２０を出口１６付近に露出して固定する。【選択図】  図１
2005155956.tif 000002
【特許請求の範囲】
【請求項１】
室内の適宜位置に設けられて空気を室内へと吹出す空気吹出し口に、隣接して配置され
る空気吹出し器具であって、
前記空気吹出し口に連結される入口と、
室内を臨む出口と、
入口から出口に向かって空気吹出し口からの空気を通す空気流通路と、
マイナスイオンを生成するマイナスイオン発生装置と、
前記マイナスイオン発生装置とコードを介して接続されてマイナスイオンを放出するマ
イナスイオン発生端子と、
マイナスイオン発生端子を支持する支持部と、
を有し、前記支持部は、該空気の流れ方向に沿って配置された非金属製の板材からなり、
該板材で前記コードを支持することにより、マイナスイオン発生端子を前記出口付近に露
出して固定することを特徴とするマイナスイオン発生機能付き空気吹出し器具。
【請求項２】
前記入口及び出口が形成され内部に前記空気流通路が形成された外枠体を有しており、
前記支持部は、該外枠体内で空気の流れと直交する方向の両端部が外枠体に連結されてお
り、外枠体を補強するものであることを特徴とする請求項１記載のマイナスイオン発生機
能付き空気吹出し器具。
【発明の詳細な説明】
【技術分野】
【０００１】
本発明は、マイナスイオンを含む空気を室内に供給することができる空気吹出し器具に
関する。
【背景技術】
【０００２】
近年、マイナスイオンが人体に与える効果として、保湿力を保ちシワになりにくくする
美容効果や、催眠、鎮痛、鎮咳、制汗、食欲増進、血圧効果、疲労防止、疲労回復などの
健康効果があることが知られてきている。このような効果のあるマイナスイオンであるが
、その８０％以上は皮膚から大気中にあるマイナスイオンを取り入れており、そのため人
間が居室する室内にマイナスイオンを充満させることが、マイナスイオンの効果を享受す
るためには重要である。
【０００３】
そこで、マイナスイオンを含む空気を室内に流すことができる装置として、従来の空気
清浄器、換気扇、換気装置、空調装置等の空気吹出し装置にマイナスイオン発生装置を組
み込んだものが多く提案されている（例えば、特開２００３−５６８７８号公報、特開２
００２−３４０３７７号公報、特開２００２−１７４４４３号公報）。
【０００４】
マイナスイオン発生装置は市販で入手可能であるが、単にマイナスイオン発生装置を通
常の空気吹出し装置の内部に配置しただけの構成では、装置を流れる空気に効率よくマイ
ナスイオンを混合して、それを効果的に室内へと供給することができない。不安定物質で
あるマイナスイオンは装置内部の障害物により減衰し、室内のマイナスイオン量はほとん
ど増加しない、のが実情である。
【０００５】
一方、マイナスイオンを室内に効果的に供給するために、空気の流通路にマイナスイオ
ンを放出するマイナスイオン発生端子を配した装置としては、特開２００３−９７８３６
号公報、特開２００３−２９４２７９号公報に記載のものを例示することができる。特開
２００３−９７８３６号公報で開示される換気扇では、換気扇の吸気時の室内への送風路
中に、その軸線を送風方向に向けた筒状カバーを配備し、筒状カバーにマイナスイオン発
生部を内蔵しており、筒状カバーを通り抜ける風にマイナスイオンを乗せて、室内にマイ
ナスイオンを放出している。また、特開２００３−２９４２７９号公報に開示される住宅
集中換気装置では、吸気ボックス、排気ボックス、及び給排気用ファンを有するチャンバ
ーファンに開口配置した多数のダクト孔に、マイナスイオン発生端子を配している。
【０００６】
これら特開２００３−９７８３６号公報や特開２００３−２９４２７９号公報に記載の
構成では、マイナスイオン発生端子を空気の流通路に配置しているので、マイナスイオン
発生端子から放出されたマイナスイオンがその空気に乗っていくことが期待できる。しか
しながら、マイナスイオンの減衰量は激しいために、筒状カバーを脱出する際やダクトと
通過する際に、かなりのマイナスイオンは減衰してしまい、結果として室内まで到達する
マイナスイオンは少ないという問題がある。また、筒状カバーにマイナスイオン発生部を
支持するための構成も困難である。
【０００７】
【特許文献１】特開２００３−５６８７８号公報
【特許文献２】特開２００２−３４０３７７号公報
【特許文献３】特開２００２−１７４４４３号公報
【特許文献４】特開２００３−９７８３６号公報
【特許文献５】特開２００３−２９４２７９号公報
【発明の開示】
【発明が解決しようとする課題】
【０００８】
本発明はかかる課題に鑑みなされたもので、その目的は、マイナスイオンを効率よく室
内に供給することができて、且つマイナスイオンを放出するマイナスイオン発生端子を確
実に簡単に支持することができる空気吹出し器具を提供することである。
【課題を解決するための手段】
【０００９】
上記目的を達成するために、本発明のうち請求項１記載の発明は、室内の適宜位置に設
けられて空気を室内へと吹出す空気吹出し口に、隣接して配置される空気吹出し器具であ
って、
前記空気吹出し口に連結される入口と、
室内を臨む出口と、
入口から出口に向かって空気吹出し口からの空気を通す空気流通路と、
マイナスイオンを生成するマイナスイオン発生装置と、
前記マイナスイオン発生装置とコードを介して接続されてマイナスイオンを放出するマ
イナスイオン発生端子と、
マイナスイオン発生端子を支持する支持部と、
を有し、前記支持部は、該空気の流れ方向に沿って配置された非金属製の板材からなり、
該板材で該コードを支持することにより、マイナスイオン発生端子を前記出口付近に露出
して位置づけることを特徴とする。
【００１０】
また、請求項２記載の発明は、請求項１記載のものにおいて、前記入口及び出口が形成
され内部に前記空気流通路が形成された外枠体を有しており、前記支持部は該外枠体内に
あって外枠体を補強するものであることを特徴とする。
【発明の効果】
【００１１】
本発明によれば、マイナスイオン発生端子が、出口付近に露出して固定されるため、入
口から出口までを通過する空気に乗ってマイナスイオンが効率的に室内へと供給される。
また、マイナスイオン発生端子を支持する支持部は、空気の流れ方向に沿って配置された
一対の非金属製の板材からなるために、該支持部が空気の流れを阻害することなく、空気
流通路に沿って流れる空気にマイナスイオン発生端子から放出されるマイナスイオンが乗
っていくことができる。
【００１２】
また、請求項２記載の発明によれば、支持部を外枠体の補強材として機能させることが
でき、外枠体の強度を確保することができる。
【発明を実施するための最良の形態】
【００１３】
以下、図面を用いて本発明の実施の形態を説明する。
【００１４】
図１ないし図４は、本発明の実施形態に係るマイナスイオン発生機能付き空気吹出し器
具を表す図である。
【００１５】
空気吹出し器具１０は、室内の天井面または壁面に設けられて屋外からの空気または屋
内の循環空気を室内へと吹出す空気吹出し口３０に隣接して配置されるものである。空気
吹出し口３０には、その室外側に図５に概略的に示すダクト３２が連結されており、図示
の例では、ファン３４によって供給された空気がダクト３２を介して空気吹出し口３０に
送り込まれるようになっており、空気吹出し口３０は、室内の隅の天井面に設けられる。
空気吹出し器具１０は、空気吹出し口３０以降障害物の少ない天井面付近から空気の拡散
する行程距離を長くとれる場所に取り付けると最良の効果が得られる。
【００１６】
空気吹出し器具１０は、その上部に前記空気吹出し口３０に連結される入口１４と、そ
の側面に出口１６とが形成された立体形状をなした外枠体１２を備えている。外枠体１２
の外形形状は、配置される室内の形状にマッチする形状とするのが意匠的に好ましい。こ
の例では、図６に示すように、室内の角部に空気吹出し器具１０を配置するのに合わせて
、当該角部に合致した角部を持つ形状をなして、直方体形状を部分的に切り欠いた形状と
している。但し、この形状に限るものではなく、円盤形状、球体形状を部分的に切り欠い
た形状等の任意の形状とすることができる。また、外枠体１２は、好ましくは、木製また
はプラスチック製等の非金属製の材料からなる。図示の例では、外枠体１２は、直方体形
状の一つの角部を切り欠いた形状をしており、これにより側面の出口１６は３方向（前、
横、斜め前横）を向くようになっている。そして、外枠体１２の内部の入口１４から出口
１６までの部分は空気流通路となる。出口１６には、開閉扉などは設けられておらず、常
時開放状態となっている。
【００１７】
外枠体１２の外部には、マイナスイオンを生成するマイナスイオン発生装置１７、１７
が配置される。このマイナスイオン発生装置１７は、外枠体１２の内部に配置することも
できるが、その場合は空気流通路を妨げないように配置するとよい。マイナスイオン発生
装置１７、１７からはコード１８、１８が導出されており、コード１８、１８の先端には
、マイナスイオンを放出するマイナスイオン発生端子２０、２０が接続される。マイナス
イオン発生端子２０は例えば炭素棒で構成される。
【００１８】
マイナスイオン発生装置１７から伸びるコード１８は、外枠体１２内部に導入されて支
持部２２を通過しており、この支持部２２によって、マイナスイオン発生端子２０が支持
される。支持部２２は、非金属製、例えば木製またはプラスチック製の板材２４からなり
、この板材２４によってコード１８の先端部分が支持されている。具体的には、板材２４
を貫通する貫通孔をコード１８の先端部分が挿通しており、板材２４の貫通孔の前側出口
からコード１８の先端部分に連結されたマイナスイオン発生端子２０が露出して出口１６
付近に位置づけられて固定されている。この板材２４は、前記入口１４から出口１６にか
けて形成される空気流通路に沿って、略平行に配置されるために、空気流通路の空気の流
れを阻害することはない。そして、板材２４は、その送風方向の直交する両端部（上下端
部）が外枠体１２に連結されており、三つの異なる方向を向いた出口１６、１６、１６の
それぞれの仕切板の役割もすると共に、断面コ字状をなした外枠体１２の上下を連結し、
補強材としての役割もなしている。尚、コード１８の支持手段としては、上記の板材の貫
通孔で支持する以外にも、板材を一対の板材で構成し、その一対の板材の間にコード１８
を挟み付けることでもよい。
【００１９】
以上のように構成される空気吹出し器具１０においては、ダクト３２を通じて送り込ま
れる空気が入口１４を通り、空気流通路に沿って出口１６へと通過する。この空気に、マ
イナスイオン発生端子２０から放出されるマイナスイオンが乗って、出口１６から室内へ
と供給されることとなる。本発明の空気吹出し器具１０では、マイナスイオン発生端子２
０から出口１６を通過するまでに障害となる物は一切なく、マイナスイオンはほとんど減
衰することなく、室内へと供給される。
【００２０】
また、マイナスイオン発生端子２０は出口１６付近に位置づけられるものの、これを支
持する支持部２２は、外枠体１２の内部に配置されるため、外部から支持部２２を視認し
にくくなっており、よって内部が露出して見栄えが悪化することもない。
【００２１】
尚、この実施形態では、空気吹出し器具１０が隣接して配置される空気吹出し口３０は
、供給された空気の吹出し口となっていたが、これに限るものではなく、空気調和された
空気の吹出し口でもよく、または室内に設置された任意の空気吹出し装置の空気吹出し口
であってもよい。
【００２２】
また、この実施形態の出口１６は、周囲９０度の範囲で設けられていたが、これに限る
ものではなく、任意の角度の範囲で設けることができる。
【実施例】
【００２３】
前述のようにマイナスイオン発生端子２０の取付位置が、室内に供給されるマイナスイ
オンの量に及ぼす影響は非常に大きい。この影響を検証するために、次の実験を行った。
【００２４】
実施例
図１〜図４に示した本発明の空気吹出し器具を用いた場合の室内のマイナスイオンの数
量を次の測定条件で測定した。
【００２５】
【表１】
2005155956.tif 000003
【００２６】
比較例
比較として、図７に示すようにマイナスイオン発生端子を出口１６付近ではなく、外枠
体１２内部の入口１４の直下に配置し、それ以外は上記実施例と同じ測定条件で測定を行
った。
【００２７】
結果を以下の表に示す。
【００２８】
【表２】
2005155956.tif 000004
【００２９】
以上のように、マイナスイオンの検出量において、マイナスイオン発生端子の取付位置
によって顕著な差異が表れ、マイナスイオン自体が不安定な物質であるために周囲の構造
によって減衰しやすいことが分かった。このことから、本発明のようにマイナスイオン発
生端子を出口付近にかつ送風方向に沿って配置することが極めて重要であることが分かる
。
【図面の簡単な説明】
【００３０】
【図１】本発明の実施形態に係るマイナスイオン発生機能付き空気吹出し器具の斜視図である。
【図２】本発明の実施形態に係るマイナスイオン発生機能付き空気吹出し器具の平面図である。
【図３】本発明の実施形態に係るマイナスイオン発生機能付き空気吹出し器具の図２の矢印３方から見た矢視図である。
【図４】本発明の実施形態に係るマイナスイオン発生機能付き空気吹出し器具の図２の４−４線に沿って見た断面図である。
【図５】本発明の実施形態に係るマイナスイオン発生機能付き空気吹出し器具が取り付けられる室内のレイアウト例を表す図である。
【図６】本発明の実施形態に係るマイナスイオン発生機能付き空気吹出し器具が室内に取り付けられた状態を表す斜視図である。
【図７】比較例の構成を表す図４相当図である。
【符号の説明】
【００３１】
１０  空気吹出し器具
１４  入口
１６  出口
１７  マイナスイオン発生装置
１８  コード
２０  マイナスイオン発生端子
２２  支持部
２４  板材
【図１】
2005155956.tif 000005
【図２】
2005155956.tif 000006
【図３】
2005155956.tif 000007
【図４】
2005155956.tif 000008
【図５】
2005155956.tif 000009
【図６】
2005155956.tif 000010
【図７】
2005155956.tif 000011